(57)【要約】      （修正有）【課題】強度を維持できながら、軽量化や材料の節減化を図れ、ひいては火葬時の燃焼時間を短縮可能になるよう形成した棺を提供する。【解決手段】上面を開口している箱形の棺本体１と、この棺本体１の上面を閉塞する蓋２とで形成する。棺本体１の長手方向に沿った両側面を、縦断面円弧形に外側に向かって凸湾曲の薄板１ａで形成する。蓋２を、縦断面円弧形に上側に向かって凸湾曲に形成するのが好ましい。また、棺本体１の長手方向に沿った両側面を、同じ湾曲率で形成するのが良い。上記の薄板１ａは、枠組み３に取り付けられ、枠組み３は、平行一対状の上下の横木３ａと、この横木３ａに縦向き状態で直交状に配置されている間隔保持板３ｂと、また外面が円弧状に湾曲されている弓形部材３ｃとを備えて形成されている。【選択図】図１
0003190416.tif 000002
【実用新案登録請求の範囲】
【請求項１】
上面が開口されている箱形の棺本体と、この棺本体の上面を閉塞する蓋とで形成されている棺であって、上記の棺本体の長手方向に沿った両側面が、縦断面円弧形に外側に向かって凸湾曲の薄板で形成されていることを特徴とする棺。
【請求項２】
請求項1記載の棺であって、蓋が、縦断面円弧形に上側に向かって凸湾曲に形成されていることを特徴とする棺。
【請求項３】
請求項1又は２記載の棺であって、棺本体の長手方向に沿った両側面の薄板が、同じ湾曲率で形成されていることを特徴とする棺。
【考案の詳細な説明】
【技術分野】
【０００１】
本考案は、棺に関し、更に詳しくは強度を低下させることなく、材料の節減を可能にした棺に関するものである。
【背景技術】
【０００２】
従来、棺は、上面が開口されている箱形の棺本体と、この棺本体の上面を閉塞する蓋とで形成されている。この場合、棺本体や蓋は、フラッシュ構造（木で枠を組みその両側に板を貼った構造）の面状材で形成されるのが通例である。（例えば特許文献１参照）。
【０００３】
而して、この種のフラッシュ構造の棺は、木で組んだ枠の両側に板を貼る必要があり、しかもこの場合、板（表材と裏材）は、枠の両側で同じ性質のものを使用しないと反り返ってしまう、という問題がある。
【０００４】
従って、従来のこの種の棺は、枠の両側に貼る板が２枚必要になり、また制作の際に、細かい作業が増加するのを避けられなかった。
【０００５】
その結果、従来品によると、材料が増加する分、重くなり、またコストが増え、ひいては火葬時間が長くかかる、という問題点があった。
【先行技術文献】
【特許文献】
【０００６】
【特許文献１】実用新案登録第３１５７８６２号公報
【考案の概要】
【考案が解決しようとする課題】
【０００７】
本考案は、このような従来の実情に鑑み、提案されたものである。
従って本考案の解決しようとする技術的課題は、強度を維持できながら、軽量化や材料の節減化を図ることができ、ひいては火葬時の燃焼時間を短縮できるよう形成した棺を提供することにある。
【課題を解決するための手段】
【０００８】
本考案は、上記の課題を解決するため、次のような技術的手段を採る。
即ち、本考案は、図１等に示されるように、上面が開口されている箱形の棺本体１と、この棺本体１の上面を閉塞する蓋２とで形成されている棺であって、上記の棺本体１の長手方向に沿った両側面が、縦断面円弧形に外側に向かって凸湾曲の薄板１ａで形成されていることを特徴とする（請求項１）
【０００９】
而して、本考案は、蓋２が、縦断面円弧形に上側に向かって凸湾曲に形成されているのが好ましい（請求項２）。
【００１０】
なぜならこの場合は、外観が丸みを帯びて柔らかな雰囲気を醸し出し、霊を慰め、見送る人の気持ちを鎮めるのに役立つからである。またこれによると、蓋２の使用材料を節減できるからである。
【００１１】
また本考案の棺は、棺本体１の長手方向に沿った両側面の薄板１ａが、同じ湾曲率で形成されているのが好ましい（請求項３）。
【００１２】
なぜならこの場合は、左右の両側面の調和をとることができ、美観が良くなるからである。またこれによると、薄板１ａを左右で共通化でき、製造コストを低廉化できるからである。
【考案の効果】
【００１３】
本考案は、このように側面を、湾曲した１枚の薄板で形成している。
従って、本考案の場合は、この薄板の復元力と立体形状による面強度で、棺本体の長手方向の全長にわたって両側面の強度を高く維持できる。
【００１４】
その結果、本考案によれば、強度を維持できながら、軽量化や材料の節減化、また加工の手間暇の軽減化を図ることができる。また本考案品によれば、使用材料が少なくて済む分、火葬時の燃焼時間を短縮可できる。
【図面の簡単な説明】
【００１５】
【図１】本考案の棺の好適な一実施形態を示す斜視図である。
【図２】同上棺の斜視図である。
【図３】棺本体の一部を切欠した分解斜視図である。
【図４】棺本体の平面図である。
【図５】棺本体の正面図である。
【図６】図５のＶＩ−ＶＩ線における断面図である。
【図７】棺本体の側面図である。
【図８】図７のＶＩＩＩ−ＶＩＩＩ線における断面図である。
【図９】蓋を下方から見た斜視図である。
【図１０】蓋の平面図である。
【図１１】蓋の正面図である。
【図１２】図１０のＸＩＩ−ＸＩＩ線における断面図である。
【図１３】蓋の側面図である。
【図１４】図１３のＸＩＶ−ＸＩＶ線における断面図である。
【考案を実施するための形態】
【００１６】
以下、本考案を実施するための好適な一実施形態を、添付図面に従って説明する。
本考案の棺は、図１等に示されるように、上面が開口されている箱形の棺本体１と、この棺本体１の上面を閉塞する蓋２とで形成されている。
【００１７】
上記の棺本体１の長手方向に沿った両側面は、縦断面円弧形に外側に向かって凸湾曲の薄板１ａで形成されている。この薄板１ａは、ベニヤ板等の合板で形成され、左右の両側面は、この実施形態では同じ湾曲率で形成されている。また棺本体１の短手方向に沿った前後の両側面は、ベニヤ板等の合板１ｂで垂直面状に形成されている。
【００１８】
上記の薄板１ａは、この実施形態では枠組み３に取り付けられている。枠組み３は、平行一対状の上下の横木３ａと、この横木３ａに縦向き状態で直交状に配置されている間隔保持板３ｂと、また外面が円弧状に湾曲されている弓形部材３ｃとを備えて形成されている。棺本体１の長手方向の内面は、枠組み３の露出を防止するため、布や板等の化粧用面状材３ｄが、薄板１ａと対向するよう枠組み３に設けられている。
【００１９】
上記の弓形部材３ｃの外面は、薄板１ａの湾曲に合わされ、薄板１ａは、弓形部材３ｃの外面に密着されて、例えば接着されている。また横木３ａや短手方向の側板は、この実施形態では、図３に示されるように、対応する位置の弓形部材３ｃに、雌雄の嵌合部４を介して嵌合可能に形成されている。
【００２０】
また棺本体１の上面を閉塞する蓋２は、図１、図９〜図１４に示されるように、縦断面円弧形に上側に向かって凸湾曲に形成されている。具体的には、ベニヤ板等でなる上面板２ａが湾曲され、長方形の枠材２ｂに張られている。枠材２ｂは、一定の間隔でリブ材２ｂ１が梯子段状に設けられている。このリブ材２ｂ１の上面は円弧形に湾曲され、このリブ材２ｂ１の上面に、上面板２ａが貼り付けられている。
【００２１】
次に、この実施形態の本考案品の制作例を説明する。
【００２２】
本考案品の棺本体１は、先ず、枠組み３を形成し、次に、この枠組み３の弓形部材３ｃに薄板１ａを貼る。このようにして形成した側板を、底板と共に、短手方向の合板１ｂと結合し、棺本体１を形成する。そして、面状材３ｄ等で内側を化粧仕上げすると共に、外面を、例えば布張りして化粧仕上げする。
【００２３】
また蓋２は、枠材２ｂを長方形に形成し、枠材２ｂの間にリブ材２ｂ１を設け、リブ材２ｂ１の上面に上面板２ａを貼る。また上面板２ａの外面を、棺本体１と調和するよう、例えば布張りして化粧仕上げする。
【００２４】
而して、本考案は、上記の通り、棺本体１の長手方向に沿った両側面が、湾曲状の薄板１ａで形成されている。この場合、当該側面は１枚の薄板１ａでなるが、薄板１ａが湾曲されているため、本考案によれば、薄板１ａの復元力で側面の強度を高く維持できる。
【００２５】
また本考案は、従来のフラッシュ構造の棺に比べ、側板の使用枚数を減らすことができるから、これによれば、軽量化や低廉化、また加工の手間暇の軽減化を図ることができる。また本考案によると、材量が少なくて済む分、火葬時の燃焼時間を短縮できる。更に本考案は、外観が丸みを帯びているため、これによれば、遺族等の気持ちを和ませることができる。
【００２６】
以上の処において、本考案の場合、薄板１ａや上面板２ａの湾曲率は自由である。また薄板１ａや上面板２ａは、通常、ベニヤ板等の合板が好ましいが、これに限定されるものではない。
【符号の説明】
【００２７】
１      棺本体
１ａ    薄板
１ｂ    合板
２      蓋
２ａ    上面板
２ｂ    枠材
２ｂ１  リブ材
３      枠組み
３ａ    横木
３ｂ    間隔保持板
３ｃ    弓形部材
３ｄ    面状材
４      嵌合部
【図１】
0003190416.tif 000003
【図２】
0003190416.tif 000004
【図３】
0003190416.tif 000005
【図４】
0003190416.tif 000006
【図５】
0003190416.tif 000007
【図６】
0003190416.tif 000008
【図７】
0003190416.tif 000009
【図８】
0003190416.tif 000010
【図９】
0003190416.tif 000011
【図１０】
0003190416.tif 000012
【図１１】
0003190416.tif 000013
【図１２】
0003190416.tif 000014
【図１３】
0003190416.tif 000015
【図１４】
0003190416.tif 000016